(57)【要約】【課題】ネジ等の締結部品を要せずに簡便に取付け及び取外しが可能な、デジタル測定器用データ通信ケーブルの防水コネクタを提供する。【解決手段】デジタル測定器用データ通信ケーブルの防水コネクタ１００は、電極１１１を有する先端部１１０と、先端部１１０の根本に形成された基部１２０、１３０と、基部１２０、１３０に設けられたボタン１４１と、ボタン１４１に連動して動作するフック１４２と、を有し、フック１４２は、防水コネクタ１００がデジタル測定器側コネクタ２００に挿入されたとき、デジタル測定器側コネクタ２００内部に設けられた凹部に自動的に係合し、かつ、ボタン１４１の操作に応じて凹部から分離し、基部１２０、１３０とデジタル測定器側コネクタ２００との接触面にはシール部材１２１が設けられ、ボタン１４１は防水材料により覆われていることを特徴とする。【選択図】図２
2019186097.tif 000002
【特許請求の範囲】
【請求項１】
デジタル測定器用データ通信ケーブルの防水コネクタであって、
電極を有する先端部と、
前記先端部の根本に形成された基部と、
前記基部に設けられたボタンと、
前記ボタンに連動して動作するフックと、を有し、
前記フックは、前記防水コネクタが前記デジタル測定器側コネクタに挿入されたとき、前記デジタル測定器側コネクタ内部に設けられた凹部に自動的に係合し、かつ、前記ボタン操作に応じて前記凹部から分離し、
前記基部と前記デジタル測定器側コネクタとの接触面にはシール部材が設けられ、
前記ボタンは防水材料により覆われていることを特徴とする
防水コネクタ。
【請求項２】
前記基部、前記シール部材及び前記ボタンのうち少なくともいずれか１つがゴム又は軟質樹脂で形成されていることを特徴とする
請求項１記載の防水コネクタ。
【請求項３】
前記先端部は略平板状であって一対の幅広側面を有し、一方の前記幅広側面に前記電極が設けられ、他方の前記幅広側面に前記フックの先端が位置していることを特徴とする
請求項１記載の防水コネクタ。
【請求項４】
前記先端部は略平板状であって一対の幅狭側面を有し、２つの前記幅狭側面に２つの前記フックの先端がそれぞれ位置していることを特徴とする
請求項１記載の防水コネクタ。
【発明の詳細な説明】
【技術分野】
【０００１】
本発明はデジタル測定器に接続するデータ通信ケーブルの防水コネクタに関する。
【背景技術】
【０００２】
従来より、デジタルノギスやデジタルマイクロメータ等のデジタル測定器と、外部接続機器等とを接続するためのデータ通信用ケーブルが広く知られている。データ通信用ケーブルの先端には電極を露出させたコネクタが形成されており、このケーブル先端のコネクタを、同様に電極が露出したデジタル測定器側のコネクタに嵌合させることにより電極同士が接続され、デジタル測定器から測定信号がケーブル側に出力される。
【０００３】
デジタル測定器は水、油、粉塵などの悪環境下で使用されることも多い。そのためデジタル測定器又はデータ通信用ケーブルには、コネクタ部への水、油、粉塵の侵入を防ぐための機構を備えたものがある。例えば特許文献１には、デジタル測定器側のコネクタの周囲にゴムパッキンを設けることで、防水、防塵性を高めた構成が記載されている。
【先行技術文献】
【特許文献】
【０００４】
【特許文献１】特許３８３１２１８号
【発明の概要】
【発明が解決しようとする課題】
【０００５】
しかしながら、特許文献１に記載されたような機構では、使用中にコネクタの嵌合が外れたり、ずれてしまった場合に防水、防塵性が損なわれることがある。
【０００６】
このような事態を防ぐための対策として、ケーブル側のコネクタを、デジタル測定器側に設けたネジ穴にネジで固定することが行われている。しかしこの構成では、コネクタの脱着の度にドライバー等の工具を用いてネジを固定し又は取外すことが必要となる。また固定用のネジを紛失してしまうとコネクタ嵌合部の防水、防塵性を十分に維持することができなくなるという問題もある。さらに、デジタル測定器側にネジ穴を切ったり、ネジ穴を切ったブッシュをインサート成形したりといった加工が必要となるため、コストアップの要因となる。
【０００７】
本発明は、このような問題点を解決するためになされたものであり、ネジ等の締結部品を要せずに簡便に取付け及び取外しが可能な、デジタル測定器用データ通信ケーブルの防水コネクタを提供することを目的とする。
【課題を解決するための手段】
【０００８】
本発明に係る防水コネクタは、デジタル測定器用データ通信ケーブルの防水コネクタであって、電極を有する先端部と、前記先端部の根本に形成された基部と、前記基部に設けられたボタンと、前記ボタンに連動して動作するフックと、を有し、前記フックは、前記防水コネクタが前記デジタル測定器側コネクタに挿入されたとき、前記デジタル測定器側コネクタ内部に設けられた凹部に自動的に係合し、かつ、前記ボタン操作に応じて前記凹部から分離し、前記基部と前記デジタル測定器側コネクタとの接触面にはシール部材が設けられ、前記ボタンは防水材料により覆われていることを特徴とする。
本発明に係る他の防水コネクタは、前記基部、前記シール部材及び前記ボタンのうち少なくともいずれか１つがゴム又は軟質樹脂で形成されていることを特徴とする。
本発明に係る他の防水コネクタは、前記先端部は略平板状であって一対の幅広側面を有し、一方の前記幅広側面に前記電極が設けられ、他方の前記幅広側面に前記フックの先端が位置していることを特徴とする。
本発明に係る他の防水コネクタは、前記先端部は略平板状であって一対の幅狭側面を有し、２つの前記幅狭側面に２つの前記フックの先端がそれぞれ位置していることを特徴とする。
【発明の効果】
【０００９】
本発明により、ネジ等の締結部品を要せずに簡便に取付け及び取外しが可能な、デジタル測定器用データ通信ケーブルの防水コネクタを提供することができる。
【図面の簡単な説明】
【００１０】
【図１Ａ】実施の形態１の防水コネクタ１００の構造を示す斜視図である。
【図１Ｂ】実施の形態１の防水コネクタ１００の構造を示す斜視図である。
【図２】実施の形態１の防水コネクタ１００の端子側面の構造を示す図である。
【図３】実施の形態１の防水コネクタ１００の抜け止め側面の構造を示す図である。
【図４】実施の形態１のデジタル測定器側のコネクタ２００の構造を示す図である。
【図５】実施の形態２の防水コネクタ１００の構造を示す図である。
【発明を実施するための形態】
【００１１】
＜実施の形態１＞
以下、本発明を適用した具体的な実施の形態について、図面を参照しながら詳細に説明する。まず、図１Ａ、図１Ｂを用いて、本発明の実施の形態１にかかる防水コネクタ１００の構造について説明する。
【００１２】
図１Ａ及び図１Ｂは、デジタル測定器に接続するためのデータ通信ケーブルの先端に設けられた防水コネクタ１００の斜視図である。防水コネクタ１００の先端部１１０は略平板状に形成され、互いに対向する一対の幅広側面と、２つの幅広側面に挟まれた互いに対向する一対の幅狭側面を有する。２つの幅広側面は、両面がそれぞれ異なる構造を有する。本実施の形態では、一方の面を端子側面（図１Ａ）、他方の面を抜け止め側面（図１Ｂ）と称する。
【００１３】
図２は先端部１１０の端子側面の拡大図である。先端部１１０の端子側面には、金属等の導電性材料により電極１１１が形成される。電極１１１の一部には凸部が設けられ、凸部は相手方（デジタル測定器）のコネクタと嵌合したときに、相手方コネクタ内部に露出している基板パターンと接して導通状態となる。
【００１４】
また、先端部１１０の根元側には、第１の基部１２０、第２の基部１３０が形成される。典型的には、先端部１１０は硬質樹脂等の硬質材料で製造される。第１の基部１２０及び第２の基部１３０は好ましくはゴムやエラストマー等の軟質樹脂で製造されるが、硬質樹脂等の硬質材料で製造されても良い。第１の基部１２０の外周面にはシール部材１２１が設けられる。シール部材１２１は、ゴムやエラストマー等の弾性材料で形成するか、Ｏリング組込みとすることができる。
【００１５】
防水コネクタ１００を先端方向（デジタル測定器側）から見ると、典型的には、先端部１１０が一番小さく、第１の基部１２０、第２の基部１３０の順に大きい。そして第１の基部１２０の断面形状は、デジタル測定器側のコネクタ２００の挿入口２１０の断面形状と略同一に形成される（図４参照）。こうすることで、防水コネクタ１００をデジタル測定器側のコネクタ２００に挿入すると、まず先端部１１０が挿入口２１０に進入し、次いで第１の基部１２０が挿入口２１０に嵌入し、最後に第２の基部１３０の面１３１がコネクタ２００の面２２０に突き当たる。このとき第１の基部１２０の外周面に設けられたシール部材１２１が、挿入口２１０の内周面２３０と密着する。これにより内部が密閉され、水、油、粉塵等の侵入が抑制される。
【００１６】
図３は先端部１１０の抜け止め側面の拡大図である。抜け止め側面の第２の基部１３０、又は防水コネクタ１００がデジタル測定器側のコネクタ２００と嵌合したときに隠れない他の任意の位置に、ボタン１４１が設けられる。また、先端部１１０の表面からはフック１４２が突出している。ボタン１４１は、防水コネクタ１００の内部機構を介してフック１４２と連動しており、ボタン１４１を押下するとフック１４２が下がり（沈み）、ボタン１４１を離すと内部機構の復元力によりフック１４２が元の位置に上昇する。
【００１７】
図４に示すように、デジタル測定器側のコネクタ２００の挿入口２１０の内部には、フック１４２が引っかかる程度の凹部が設けられる。本実施の形態では、挿入口２１０の内周面２３０の奥部が間口を広げるようにして切り欠かれており、この切り欠き状の段差にフック１４２が引っかかるようになっている。すなわち、防水コネクタ１００をデジタル測定器側のコネクタ２００に挿入すると、まず先端部１１０が挿入口２１０に進入するが、このときフック１４２が挿入口２１０の内周面２３０に接して押し下げられる。そのまま防水コネクタ１００を挿入すると、最後に第２の基部１３０の面１３１がコネクタ２００の面２２０に突き当たるが、このときまでにフック１４２は挿入口２１０の内周面２３０の奥にある凹部に到達し、内部機構の復元力によって元の位置に戻る。これにより、フック１４２が凹部に引っかかり、防水コネクタ１００とデジタル測定器側のコネクタ２００とは、互いに抜けないように固定される。
【００１８】
防水コネクタ１００をデジタル測定器側のコネクタ２００から分離する際は、ユーザはボタン１４１を押下しながら防水コネクタ１００を引き抜く。ボタン１４１の押下に連動してフック１４２が沈むので、防水コネクタ１００はデジタル測定器側と干渉することなく分離する。
【００１９】
なおボタン１４１は、例えばゴムや軟質樹脂等の材質とし、第２の基部１３０と一体に成型するか、第２の基部１３０に接着又は溶着するなどして防水材料で覆われた構造とし、ボタン１４１から水、油、粉塵等が侵入しない構造とすることが好ましい。
【００２０】
＜実施の形態２＞
実施の形態１では、防水コネクタ１００の抜け止め側面に、ボタン１４１及びフック１４２を設けた（図３）。一方、実施の形態２では、防水コネクタ１００のうち、端子側面（図１Ａ）と抜け止め側面（図１Ｂ）とによって挟まれた、互いに対向する一対の幅狭側面に、それぞれボタン１４１ａ，１４１ｂ及びフック１４２ａ，１４２ｂを設けたことを特徴とする。
【００２１】
図５を用いて、実施の形態２にかかる防水コネクタ１００の構成について詳細に説明する。実施の形態２にかかる防水コネクタ１００においては、根元側の第１の基部１２０及び第２の基部１３０の幅狭側面に沿うように、ボタン１４１ａとフック１４２ａ、ボタン１４１ｂとフック１４２ｂが配置される。すなわち一対の幅狭側面の一方にボタン１４１ａとフック１４２ａが、他方にボタン１４１ｂとフック１４２ｂがそれぞれ配置される。フック１４２ａ及び１４２ｂの鉤状の先端は、先端部１１０の一対の幅狭側面の側方まで延伸している。ボタン１４１ａ，１４１ｂは押し下げられたとき、内部でフック１４２ａ，１４２ｂに接触する。ボタン１４１ａ，１４１ｂを押下するとフック１４２ａ，１４２ｂが内側に押し下げられて沈み、ボタン１４１を離すとフック１４２ａ，１４２ｂは自身の復元力により元の位置に上昇する。
【００２２】
図４に示すように、デジタル測定器側のコネクタ２００の挿入口２１０の内部には、フック１４２ａ，１４２ｂが引っかかる程度の凹部が存在する。挿入口２１０の内周面２３０の奥部が間口を広げるようにして切り欠かれており、この切り欠き状の段差にフック１４２ａ，１４２ｂが引っかかる。すなわち、防水コネクタ１００をデジタル測定器側のコネクタ２００に挿入すると、まず先端部１１０が挿入口２１０に進入するが、このときフック１４２ａ，１４２ｂが挿入口２１０の内周面２３０に接して押し下げられる。そのまま防水コネクタ１００を挿入すると、最後に第２の基部１３０の面１３１がコネクタ２００の面２２０に突き当たるが、このときまでにフック１４２ａ，１４２ｂは挿入口２１０の内周面２３０の奥にある凹部に到達し、フック１４２ａ，１４２ｂ自身の復元力によって元の位置に戻る。これにより、フック１４２ａ，１４２ｂが凹部に引っかかり、防水コネクタ１００とデジタル測定器側のコネクタ２００とは、互いに抜けないように固定される。
【００２３】
防水コネクタ１００をデジタル測定器側のコネクタ２００から分離する際は、ユーザはボタン１４１ａ，１４１ｂを押下しながら防水コネクタ１００を引き抜く。ボタン１４１ａ，１４１ｂの押下に連動してフック１４２ａ，１４２ｂが沈むので、防水コネクタ１００はデジタル測定器側と干渉することなく分離する。
【００２４】
上述の実施の形態によれば、防水コネクタ１００とデジタル測定器側のコネクタ２００との接触面にシール部材１２１を設けることにより、防水コネクタ１００の防水、防塵性を向上させることができる。また、デジタル測定器側のコネクタ２００の内部に自動的に係合するフック１４２を設けることにより、ケーブルの抜けを防止できるので、防水、防塵性が損なわれない。かかる構造によれば、防水、防塵性を高めるために工具を使用する必要がない。またデジタル測定器側にネジ穴を形成する必要が無いので、製造コストを抑制できる。
【００２５】
なお、本発明は上記実施の形態に限られたものではなく、趣旨を逸脱しない範囲で適宜変更することが可能である。例えば上述の実施の形態では、フック１４２が１つ又は２つである例を示したが、本発明はこれに限定されず、任意の数のフック１４２がデジタル測定器側のコネクタ２００に係合する構造を有していてもよい。
【００２６】
また、上述の実施の形態では、第１の基部１２０の外周面にはシール部材１２１を設けた例を示したが、本発明はこれに限定されず、防水コネクタ１００とデジタル測定器側のコネクタ２００が接する任意の場所にシール部材を設けることができる。
【００２７】
また、上述の実施の形態では、フック１４２と電極１１１とがそれぞれ反対の側面に設けられた例を示したが、本発明はこれに限定されず、例えばフック１４２と電極１１１とを同一の側面に設けても構わない。
デジタル測定器側だけでなく、外部接続機器にも同様のコネクタを設けてもよく、データ通信ケーブルの両端に防水コネクタを備えればよい。
【符号の説明】
【００２８】
１００  防水コネクタ
１１０  先端部
１１１  電極
１２０  第１の基部
１２１  シール部材
１３０  第２の基部
１３１  接触面
１４１（１４１ａ、１４１ｂ）  ボタン
１４２（１４２ａ、１４２ｂ）  フック
２００  デジタル測定器側のコネクタ
２１０  挿入口
２２０  接触面
２３０  内周面
【図１Ａ】
2019186097.tif 000003
【図１Ｂ】
2019186097.tif 000004
【図２】
2019186097.tif 000005
【図３】
2019186097.tif 000006
【図４】
2019186097.tif 000007
【図５】
2019186097.tif 000008